(57)【要約】【課題】農作業において、中腰作業は非常に多い。特にハウス内栽培のトマト、キュウリ等の栽培作業はほとんど中腰作業である。中腰作業では体重による足、膝及び腰への負担が多く、疲れ及び痛みで腰曲がりの原因ともなっている。農作業の中腰作業での体重による足、膝及び腰への負担を軽減して足、膝及び腰の疲れ及び痛みをやわらげるものである。【解決手段】作業者の体重を受けるため、作業台車に作業者の尻を受ける安全帯６を、体重に応じた負荷を受ける空気圧封入シリンダ３に取付け、作業姿勢による体重負荷を作業台車で受けるようにした。作業台車には車輪を取付けているため、作業をしながら前後に移動出来る。一輪台車の場合は左右に移動出来る。【選択図】図５
2008148672.tif 000002
【特許請求の範囲】
【請求項１】
車輪２個又は１個を有する台枠に、設定圧可能な空気圧封入シリンダを取付け、上下方向に昇降可能なシリンダ外筒に安全帯を取付けて、作業者の足、膝及び腰に掛かる負担を作業高さに応じて軽減出来る農作業用吊台車。
【請求項２】
前記シリンダの外筒にはどの高さでもロック可能なハンドル操作のロック機構を設け、作業高さを保持出来る請求項１記載の農作業用吊台車。
【発明の詳細な説明】
【技術分野】
【０００１】本発明は農作業の中腰作業での体重による足、膝及び腰への負担を軽減して足、膝及び腰の疲れ及び痛みをやわらげるための農作業吊台車に関するものである。
【背景技術】
【０００２】作業姿勢の低い場合は腰掛を利用しているが、中腰での作業は補助具なしで作業しているので、体重の負荷がそのまま足、膝及び腰にかかる。【０００３】
【特許文献１】  特開２００３−１２５６０７号公報
【発明の開示】
【発明が解決しようとする課題】
【０００４】ハウス内栽培のトマト、キュウリ等の作業はほとんど中腰作業であるため作業姿勢による体重負荷が足、膝及び腰に掛かり疲れや痛みを発生し、腰曲がりの原因ともなっている。特に、高齢者に成る程つらい作業となっている。本発明は、この課題を解決するためになされたものである。
【課題を解決するための手段】
【０００５】作業者の体重を受けるため、作業台車に作業者の尻を受ける安全帯６を、体重に応じた負荷を受ける空気圧封入シリンダ３に取付け、作業姿勢による体重負荷を作業台車で受けるようにした。
作業台車には車輪を取付けているため、作業をしながら前後に移動出来、一輪台車の場合は左右に移動出来る。
【発明の効果】
【０００６】安全帯６で負荷に応じて尻を持上げることにより、足、膝及び腰に掛かる体重による負荷を軽減出来るため、疲れ及び痛みをやわらげることにより作業能率もアップし、腰曲がりもやわらげる。
以下、本発明の実施の形態について説明する。
（イ）．作業台車に空気圧封入シリンダ３を取付ける。そのシリンダ外筒４に安全帯６を取付ける。
（ロ）．シリンダ外筒４にハンドル式ロック機構を取付け、シリンダ内筒５とロックする。
【実施例１】
【０００７】図１二輪農作業用吊台車の正面図、側面図及び平面図を示す。正面図は空気圧封入シリンダの断面図を示す。図２、図３及び図４は空気圧封入シリンダの各断面詳細図を示す。図５は二輪農作業用吊台車の各作業高さでの動作状態を示す。図６は一輪農作業用吊台車の正面図、側面図及び平面図を示す。図７は一輪農作業用吊台車の作業高さでの動作状態を示す。【０００８】図１において、二輪農作業用吊台車の構成部品を示す。台枠１に軸９で車輪２が取付けられ、空気圧封入シリンダ３及び収穫物を入れるカゴ等を取付ける架台１０がボルト１１で取付けられている。空気圧封入シリンダ３はシリンダ外筒４及びシリンダ内筒５で構成され、内部に空気圧が封入される。シリンダ外筒４にはブラケット８が溶接接合され、吊具７により安全帯６が取付けられている。【０００９】空気圧封入シリンダ３の台枠１にボルト１１で取付けるベース１２はシリンダ内筒５と溶接接合され封入空気圧の漏れはない。シリンダ外筒４上部は図２に、シリンダ外筒４とシリンダ内筒５の摺動部は図３に、シリンダ外筒４をシリンダ内筒５にロックするロック機構は図４に示す。【０００１０】図２において、シリンダ外筒４の上部封入空気圧シール及び空気圧供給金具２１取付け状態を示す。シリンダ外筒４にキャップ２０がネジ２５で結合され、空気圧はＯリング２４でシールされる。最下限ストッパボルト２２はシールワッシャ２３でシールされ、空気圧供給金具は管用テーパネジでシールテープを巻き付けてネジ込みシールされる。空気圧供給金具２１は逆止弁が内蔵されており供給した空気圧は逆止弁でシールされる。ストッパボルト２２の長さを変更することにより最下限高さを変更することが可能である。【０００１１】図３において、シリンダ外筒４とシリンダ内筒５の摺動部は空気圧の漏れがないようにＵパッキン２６でシールされる。ブッシュ２７はＵパッキン２６押えとシリンダ外筒４からシリンダ内筒５への力の伝達を行う。最下降時の衝撃緩衝にゴムバッファ２９が取付けられており、ストッパボルト２２より当板３０に当っての衝撃力は作業者への伝達を軽減される。【００１２】図４において、シリンダ外筒４をシリンダ内筒５にロックする構造を示す。ロックナット３２がネジ３３で結合され、ハンドル取付ネジ３５に取付けられたハンドル３４でロックナット３２をネジ込むことによりグリッパ３１がシリンダ内筒５をグリップすることによりロックされる。グリッパは円錐筒で６分割され、シリンダ外筒４とのテーパ摺動部によりグリップしロックされる。【００１３】図５において、農作業時の各作業高さでの動作状態を示す。動作１は最下限での体制を示し、作業高さが高くなるにつれ動作２，３，４，５，６と高くなる。シリンダ３の内容積は最下限動作１が最小となり、最上限動作６では内容積が最大となる。空気圧の特性で圧力（Ｐ）Ｘ容積（Ｖ）は一定の関係があり、シリンダ外筒に対し最下限で最大の持上力が働き、最上限で最小の持上力が働く。農作業者の体重に合せてシリンダ３への封入空気圧を調整すれば適正な安全帯の持上力が得られ足、膝及び腰への負荷を軽減できる。【００１４】図６において、一輪農作業用吊台車の正面図、側面図及び平面図を示すが、シリンダ３の構造及びシリンダ３への取付部品は図１と同一である。
二輪農作業吊台車は作業者の前後に走行可能に対し、一輪農作業吊台車は作業者の左右に走行可能となる。一輪農作業吊台車は一輪で荷重を受けるため、転倒防止１３が取付られる。
【図面の簡単な説明】
【００１５】
【図１】  本発明実施例の二輪農作業用吊台車の正面図、側面図及び平面図である。
【図２】  空気圧封入シリンダのＡ部断面詳細図である。
【図３】  空気圧封入シリンダのＢ部断面詳細図である。
【図４】  空気圧封入シリンダのＣ部断面詳細図である。
【図５】  二輪農作業用吊台車の各作業高さでの動作状態である。
【図６】  本発明実施例の一輪農作業用吊台車の正面図、側面図及び平面図である。
【図７】  一輪農作業用吊台車の作業高さでの動作状態である。
【符号の説明】
【００１６】  １    台枠                        ２０  キャップ
２    車輪                        ２１  空気圧供給金具
３    空気圧封入シリンダ          ２２  ストッパボルト
４    シリンダ外筒                ２３  シールワッシャ
５    シリンダ内筒                ２４  Ｏリング
６    安全帯                      ２５  ネジ
７    吊具                        ２６  Ｕパッキン
８    ブラケット                  ２７  ブッシュ
９    軸                          ２８  ボルト
１０  架台                        ２９  ゴムバッファ
１１  ボルト                      ３０  当板
１２  ベース                      ３１  グリッパ
１３  転倒防止                    ３２  ロックナット
３３  ネジ
３４  ハンドル
３５  ハンドル取付ネジ
【図１】
2008148672.tif 000003
【図２】
2008148672.tif 000004
【図３】
2008148672.tif 000005
【図４】
2008148672.tif 000006
【図５】
2008148672.tif 000007
【図６】
2008148672.tif 000008
【図７】
2008148672.tif 000009